(57)【特許請求の範囲】
【請求項１】
粉粒状の被搬送物を下方へと搬送して吐出口から落下させるシュートにその吐出口の下方側を取り囲むように吐出口フードを装着してなるダストレスシュートであって、シュートの吐出口から落下した被搬送物が投入される投入口の大きさが異なり、かつ投入口から下方に向かって先細り形状の複数のテーパ短管を互いに隙間を設けて同心で大きいものから小さいものへと順に中に配置してなる絞り機能付き整流器を吐出口フードの内部に配設するとともに、前記シュートの吐出口と絞り機能付き整流器との間に、被搬送物の搬送通路を水平方向に仕切る複数の整流板が互いの板面の間に隙間を存して対向配置されてなる前段整流器を配設したことを特徴とするダストレスシュート。
【請求項２】
複数のテーパ短管のうち、少なくとも１つのテーパ短管の投入口の大きさをシュートの吐出口の大きさ以上としたことを特徴とする請求項１記載のダストレスシュート。
【請求項３】
シュートは、水平方向の一側から他側に向かって下方に傾斜する傾斜シュート部を有するものであり、この傾斜シュート部の下流側で被搬送物の搬送通路を水平方向の一側と他側とに分ける分流板を、搬送通路の中心位置から水平方向の他側に向かって所定距離隔てた位置に配設したことを特徴とする請求項１又は２記載のダストレスシュート。
【発明の詳細な説明】
【技術分野】
【０００１】
本発明は、防塵機能を備えたダストレスシュートに関し、特に、粉粒状の被搬送物をトラック等へ積み込むのに用いられて好適なダストレスシュートに関するものである。
【背景技術】
【０００２】
従来、この種のダストレスシュートとして、図３に示されるようなものがある。
図３に示されるダストレスシュート１００は、例えば、図示されないサイロ等から送られてきた穀物等の粉粒状の被搬送物をトラック等に移送するためのものであって、被搬送物を下方へと搬送して吐出口１０１ａから落下させるシュート１０１にその吐出口１０１ａの下方側を取り囲むように吐出口フード１０２を装着して構成されている。
【０００３】
吐出口フード１０２の外側には、その吐出口フード１０２との間に隙間を設けて外郭部材１０３が配設されている。
外郭部材１０３は、集塵ダクト１０４を介して集塵装置１０５に接続されている。
吐出口フード１０２の内部には、シュート１０１の吐出口１０１ａの真下に位置するように中子１０６が配設されている。
中子１０６は、その上部が円錐体状に、その下部が逆截頭円錐体状にそれぞれ形成され、所要のブラケット１０７を介して吐出口フード１０２の内壁面に固定されている。
【０００４】
このダストレスシュート１００においては、図示されないサイロ等から送られてきた被搬送物をシュート１０１により下方へと搬送してそのシュート１０１の吐出口１０１ａから落下させるようにしている。
シュート１０１の吐出口１０１ａから落下した被搬送物は、吐出口フード１０２内に配設された中子１０６によって一旦その中子１０６の外周方向へと分散される。
分散された被搬送物は、中子１０６の下方で合流され、吐出口フード１０２の排出口１０２ａから落下・排出されて図示されないトラック等へと積み込まれる。
【０００５】
なお、被搬送物を中子１０６で一旦外周方向に分散した後に合流させて下方に落下させるようにしたものは、例えば、特許文献１にて知られている。
【先行技術文献】
【特許文献】
【０００６】
【特許文献１】特開昭６０−１５３０５号公報
【０００７】
ところで、従来のダストレスシュート１００においては、中子１０６によって一旦その中子１０６の外周方向へと分散した被搬送物が中子１０６の下方で合流する際に、被搬送物同士が衝突して被搬送物の流れが乱れて粉塵（ダスト）が発生するため、発生したダストを集塵装置１０５によって吐出口フード１０２と外郭部材１０３との間から吸い込み、集塵ダクト１０４を介して捕集して発塵を防止するようにしている。
【０００８】
このため、このダストレスシュート１００は、集塵装置１０５が付帯設備として必須であるとともに、集塵装置１０５の機能維持のためのメンテナンスが必要であり、イニシャルコスト及びランニングコストが嵩むというという問題があった。
【発明の概要】
【発明が解決しようとする課題】
【０００９】
本発明は、上記従来のダストレスシュートの有する問題点に鑑み、集塵装置のような付帯設備を用いることなく発塵を防止することができるダストレスシュートを提供することを目的とする。
【課題を解決するための手段】
【００１０】
上記目的を達成するため、本発明のダストレスシュートは、粉粒状の被搬送物を下方へと搬送して吐出口から落下させるシュートにその吐出口の下方側を取り囲むように吐出口フードを装着してなるダストレスシュートであって、シュートの吐出口から落下した被搬送物が投入される投入口の大きさが異なり、かつ投入口から下方に向かって先細り形状の複数のテーパ短管を互いに隙間を設けて同心で大きいものから小さいものへと順に中に配置してなる絞り機能付き整流器を吐出口フードの内部に配設するとともに、前記シュートの吐出口と絞り機能付き整流器との間に、被搬送物の搬送通路を水平方向に仕切る複数の整流板が互いの板面の間に隙間を存して対向配置されてなる前段整流器を配設したことを特徴とする。
【００１１】
この場合において、複数のテーパ短管のうち、少なくとも１つのテーパ短管の投入口の大きさをシュートの吐出口の大きさ以上とすることができる。
【００１２】
また、シュートは、水平方向の一側から他側に向かって下方に傾斜する傾斜シュート部を有するものであり、この傾斜シュート部の下流側で被搬送物の搬送通路を水平方向の一側と他側とに分ける分流板を、搬送通路の中心位置から水平方向の他側に向かって所定距離隔てた位置に配設することができる。
【発明の効果】
【００１３】
本発明のダストレスシュートにおいては、絞り機能付き整流器における複数のテーパ短管を被搬送物が通り抜ける際に、被搬送物の流れを各テーパ短管の外周から中心に向かう流れに統一するような整流絞り作用が被搬送物に対して施され、被搬送物を絞り機能付き整流器で一旦溜めて絞り出すことができる。
これにより、被搬送物の流れの中の空隙を無くして乱流の発生を防ぎつつ被搬送物の流速を上昇させることができる。
そして、被搬送物の流速の上昇に伴って得られるベンチュリー効果と渦流効果とにより、被搬送物をその流れの中心側に封じ込めながら下方へと集中して流し落とすことでき、集塵装置のような付帯設備を用いることなく発塵を防止することができる。
【００１４】
そして、被搬送物の搬送通路を水平方向に仕切る複数の整流板が互いの板面の間に隙間を存して対向配置されてなる前段整流器を、シュートの吐出口と絞り機能付き整流器との間に配設することにより、シュートの吐出口から落下した被搬送物が前段整流器で予め整流作用を受けてから絞り機能付き整流器での整流絞り作用を受けることになるので、絞り機能付き整流器での整流作用をより効果的なものにすることができる。
【００１５】
また、複数のテーパ短管のうち、少なくとも１つのテーパ短管の投入口の大きさをシュートの吐出口の大きさ以上とすることにより、シュートの吐出口から落下した被搬送物の全量に対して絞り機能付き整流器による整流絞り作用を確実に施すことができる。
【００１６】
また、シュートは、水平方向の一側から他側に向かって下方に傾斜する傾斜シュート部を有するものであり、この傾斜シュート部の下流側で被搬送物の搬送通路を水平方向の一側と他側とに分ける分流板を、搬送通路の中心位置から水平方向の他側に向かって所定距離隔てた位置に配設することにより、傾斜シュート部の下流側で水平方向の他側に偏りがちな被搬送物の流れを分流板によって均等化を図ることができる。
【図面の簡単な説明】
【００１７】
【図１】本発明の一実施形態に係るダストレスシュートの正面断面図である。
【図２】（ａ）は図１のＡ−Ａ線断面図、（ｂ）は図１のＢ−Ｂ線断面図、（ｃ）は図１のＣ−Ｃ線断面図である。
【図３】従来のダストレスシュートの正面断面図である。
【発明を実施するための形態】
【００１８】
次に、本発明のダストレスシュートの実施の形態を、図面に基づいて説明する。
【００１９】
＜ダストレスシュートの概略説明＞
図１に示されるダストレスシュート１は、例えば、図示されないサイロ等から送られてきた穀物等の粉粒状の被搬送物をトラック等に移送するためのものであって、被搬送物をシュート２により下方へと搬送しそのシュート２の吐出口３から落下させ、その吐出口３の周りに装着された吐出口フード４を通してその吐出口フード４の排出口５から下方へと排出して図示されないトラック等に積み込むようにしている。
【００２０】
＜シュートの説明＞
シュート２は、水平方向の一側（図１において左側）から他側（図１において右側）に向かって下方に傾斜する断面円筒状の傾斜シュート部２ａの下流側に、所定の曲げ半径で屈曲した断面円筒状の屈曲シュート部２ｂを連設して構成されている。
本実施形態においては、傾斜シュート部２ａから屈曲シュート部２ｂを経て吐出口フード４の排出口５に至るその内部に、被搬送物を斜め下方から鉛直下方へと搬送する搬送通路６が形成されている。
【００２１】
＜フード内シュートの説明＞
屈曲シュート部２ｂの下流側には、シュート２の吐出口３よりも大きな開口を有する断面円筒状で鉛直方向に延び、吐出口フード４の内部に配設されるフード内シュート７が連設されている。
【００２２】
＜吐出口フードの説明＞
吐出口フード４は、シュート２の吐出口３を十分な余裕を持って取り囲む鉛直円筒部４ａと、この鉛直円筒部４ａの下端側に一体的に連設され、下方に向かって先細り形状で先端に当該吐出口フード４の排出口５を有するテーパ円筒部４ｂとにより構成されている。
この吐出口フード４の内部には、前述したようにフード内シュート７が配設されるとともに、このフード内シュート７から吐出口フード４の排出口５に向かって順に、前段整流器８及び絞り機能付き整流器９がそれぞれ配設されている。
【００２３】
＜前段整流器の説明＞
前段整流器８は、シュート２の吐出口３と絞り機能付き整流器９との中間に位置するようにフード内シュート７から吊下支持部材１０を介して吊り下げ支持されている。
図２（ｂ）に示されるように、前段整流器８は、被搬送物の搬送通路６を水平方向の一側から他側に向かう方向と直交する水平方向、すなわち図中記号Ｆ矢印で示される方向に仕切る帯状の複数の整流板１１を備え、これら整流板１１の互いの板面の間に隙間を設けて対向配置して構成されている。
この前段整流器８を絞り機能付き整流器９の上方に設けることにより、シュート２の吐出口３から落下した被搬送物が前段整流器８で予め整流作用を受けてから絞り機能付き整流器９での整流絞り作用を受けることになるので、絞り機能付き整流器９での整流絞り作用をより効果的なものにすることができる。
【００２４】
＜絞り機能付き整流器の説明＞
図１及び図２（ａ）に示されるように、絞り機能付き整流器９は、シュート２の吐出口３から落下した被搬送物が投入される投入口１２ａ、１３ａの大きさが異なる大径テーパ短管１２と小径テーパ短管１３とを備えている。
これらテーパ短管１２、１３は、いずれも投入口１２ａ、１３ａから下方に向かって先細りの円筒形状とされている。
絞り機能付き整流器９においては、吐出口フード４の内壁面との間に隙間を存して配される大径テーパ短管１２の中に小径テーパ短管１３を同心で配し、大径テーパ短管１２と小径テーパ短管１３との間に被搬送物を流し落とすための所要の隙間を設けた状態で、これらテーパ短管１２、１３を所要のブラケット１４を介して互いに固定することにより構成されている。
【００２５】
ここで、ブラケット１４の基端側は、吐出口フード４の内壁面に固着されており、ブラケット１４は、絞り機能付き整流器９を、前段整流器８と吐出口フード４の排出口５との間で、その排出口５寄りの高さ位置に保持する支持部材としての役目もする。
なお、本実施形態では、投入口１２ａ、１３ａの大きさが異なる２つのテーパ短管１２、１３で絞り機能付き整流器９を構成した例を示したが、これに限定されるものではなく、投入口の大きさが異なる３つ以上のテーパ短管で絞り機能付き整流器を構成する態様もあり得る。
【００２６】
ここで、大径テーパ短管１２の投入口１２ａの大きさは、シュート２の吐出口３の大きさよりも大きくされている。
これにより、シュート２の吐出口３から落下した被搬送物の全量に対して絞り機能付き整流器９による整流絞り作用を確実に施すことができる。
【００２７】
＜分流板の説明＞
ところで、傾斜シュート部２ａ内を流れる被搬送物は、鉛直下向きの運動成分と、水平方向の一側から他側に向かう運動成分とを有しているため、傾斜シュート部２ａの下流側（下向き搬送部。本実施例においては、屈曲シュート部２ｂの下流側。）において被搬送物の流れが水平方向の他側に偏りがちとなる。
そこで、被搬送物の流れが水平方向の他側に偏った状態のままで被搬送物が前段整流器８や絞り機能付き整流器９に導入されるのを防ぐために、フード内シュート７の内部に分流板１５が組み付けられている。
【００２８】
分流板１５は、屈曲シュート部２ｂの下流側で被搬送物の搬送通路６を水平方向の一側と他側とに分けるものであり、シュート２の吐出口３における搬送通路６の中心位置を示す中心線Ｏｓから水平方向の他側に向かって所定距離Ｄだけ隔てた位置に図１の左右方向に板面を向けて配設されている。
この分流板１５を設けることにより、傾斜シュート部２ａの下流側（本実施例においては、屈曲シュート部２ｂの下流側。）で水平方向の他側に偏りがちな被搬送物の流れを分流板１５によって均等に分配することができ、前段整流器８での整流作用及び絞り機能付き整流器９での整流絞り作用がそれぞれ適切に行われることになる。
【００２９】
＜作用効果の説明＞
以上に述べたように構成されるダストレスシュート１においては、図１に示されるように、被搬送物をシュート２により斜め下方から鉛直下方へと搬送してそのシュート２の吐出口３から落下させるようにしている。
シュート２の吐出口３から落下した被搬送物は、フード内シュート７を通過する際、分流板１５による分流作用を受けて、水平方向の他側に偏りがちな被搬送物の流れが均等化される。
分流板１５による分流作用を受けた被搬送物は、前段整流器８を通過する際に、複数の整流板１１（図２（ｂ）参照）により、水平方向Ｆに均等に分流されるとともに、鉛直方向の流れが整えられる。
【００３０】
前段整流器８による整流作用を受けた被搬送物は、絞り機能付き整流器９における大径テーパ短管１２と小径テーパ短管１３とを通り抜ける際に、その流れが各テーパ短管１２、１３の外周から中心に向かう流れに統一され、それらテーパ短管１２、１３により一旦溜めが作られた後に絞り出されることになる。
これにより、被搬送物の流れの中の空隙を無くして乱流の発生を防ぎつつ被搬送物の流速を上昇させることができる。
そして、被搬送物の流速の上昇により、テーパ短管１２、１３から絞り出された被搬送物の流れの内部側が外部側に対し相対的に低圧になる（ベンチュリー効果）とともに、被搬送物と外部側との境界に被搬送物の流れの内部側に向かう図１中記号Ｅ矢印で示されるような渦流が発生する（渦流効果）ため、被搬送物をその流れの内部側に封じ込めながら下方へと集中して流し落とすことでき、従来は必要とされた集塵装置１０５（図３参照）のような付帯設備を用いることなく発塵を防止することができる。
【００３１】
以上、本発明のダストレスシュートについて、一実施形態に基づいて説明したが、本発明は上記実施形態に記載した構成に限定されるものではなく、その趣旨を逸脱しない範囲において適宜その構成を変更することができるものである。
【産業上の利用可能性】
【００３２】
本発明のダストレスシュートは、集塵装置のような付帯設備を用いることなく発塵を防止することができるという特性を有していることから、粉粒状の被搬送物をトラックや船等への積み込みの用途に好適に用いることができる。
【符号の説明】
【００３３】
１  ダストレスシュート
２  シュート
２ａ  傾斜シュート部
３  吐出口
４  吐出口フード
６  搬送通路
８  前段整流器
９  絞り機能付き整流器
１１  整流板
１２  大径テーパ短管
１２ａ  投入口
１３  小径テーパ短管
１３ａ  投入口
１５  分流板
【図１】
0006038734.tif 000002
【図２】
0006038734.tif 000003
【図３】
0006038734.tif 000004